(57)【要約】【課題】排泄物の濾過性能を維持することにより、装着感を維持することができる、吸収性物品、及びおむつを提供すること。【解決手段】吸収性物品１は、表面シート１０と、表面シート１０と間隔を隔てて並設された裏面シート２０と、表面シート１０と裏面シート２０との相互間に設けられた吸収体３０と、を備え、吸収体３０を当該吸収体３０の最も近傍に設けられた表面シート１０と裏面シート２０と直接的に重ね合わせており、表面シート１０及び裏面シート２０を、坪量が１６〜５０ｇ／ｍ２となるように形成している。【選択図】図２
2013188445.tif 000002
【特許請求の範囲】
【請求項１】
相互に間隔を隔てて並設された複数の不織布シートと、
前記複数の不織布シートの相互間に設けられた吸収体と、を備え、
前記吸収体を前記複数の不織布シートのうち当該吸収体の最も近傍に設けられた不織布シートと直接的に重ね合わせた、
吸収性物品。
【請求項２】
前記複数の不織布シートのうち、前記並設方向における最外側の少なくとも一方に設けられる不織布シートは、第１の不織布シートと、第２の不織布シートと、を備え、
前記第２の不織布シートを前記吸収体と直接的に重ね合わせ、
前記第１の不織布シートを前記第２の不織布シートよりも前記吸収体側とは反対側に位置するように配置すると共に、前記第１の不織布シートを前記第２の不織布シートと直接的に重ね合わせた、
請求項１に記載の吸収性物品。
【請求項３】
前記複数の不織布シートは、
前記第１の不織布シートと、
前記第２の不織布シートと、
前記吸収体よりも前記第２の不織布シート側とは反対側に設けられた第３の不織布シートと、
前記第３の不織布シートよりも前記第２の不織布シート側とは反対側に設けられた第４の不織布シートであって、前記第３の不織布シートと直接的に重ね合わせた前記第４の不織布シートと、を備え、
前記吸収体は、
前記第２の不織布シートと直接的に重ね合わせた第１の吸収体と、
前記第３の不織布シートと直接的に重ね合わせた第２の吸収体と、を備えた、
請求項２に記載の吸収性物品。
【請求項４】
前記第１の吸収体と前記第２の吸収体との相互間に、第５の不織布シートを設け、
前記第５の不織布シートを、前記第１の吸収体と直接的に重ね合わせると共に、前記第２の吸収体と直接的に重ね合わせた、
請求項３に記載の吸収性物品。
【請求項５】
前記第２の不織布シートの短手方向の長さが前記第１の不織布シートの短手方向の長さよりも短くなるように、あるいは、前記第２の不織布シートの長手方向の長さが前記第１の不織布シートの長手方向の長さよりも短くなるように、前記第２の不織布シートを形成した、
請求項２から４のいずれか一項に記載の吸収性物品。
【請求項６】
前記不織布シートを、坪量が１６〜５０ｇ／ｍ２となるように形成した、請求項１から５のいずれか一項に記載の吸収性物品。
【請求項７】
前記請求項１から６いずれか一項に記載の吸収性物品を備えたおむつ。
【発明の詳細な説明】
【技術分野】
【０００１】
本発明は、吸収性物品、及びおむつに関する。
【背景技術】
【０００２】
従来から、装着者（例えば乳幼児、障害者、高齢者等）から排泄される排泄物（例えば尿や便等）を捕捉するために、おむつと組み合わせて着用する吸収性物品が用いられている。例えば、特許文献１には、排泄物を固形分と水分に分離し、水分のみを吸収体に吸収させる吸収性物品が開示されている。
【０００３】
また、従来から、液透過性の表面シートと、表面シートを通過した液を吸収する吸収コアと、吸収コアを透過した液を透過させる液透過性の裏面シートが配され、両面から尿の吸収が可能な吸収性物品が知られている。図１０は、従来の吸収性物品の断面図を示す図である。具体的には、この吸収性物品３０１は、液透過性の不織布シート３１０ａ、３１０ｂ（なお、不織布シート３１０ａは上述した表面シートに相当し、不織布シート３１０ｂは上述した裏面シートに相当する）、不織布シート３１０ａ、３１０ｂとの相互間に設けられた吸収体３２０ａ、３２０ｂと、吸収体３２０ａの不織布シート３１０ａ側の側面上に設けられた吸水紙３３０ａと、吸収体３２０ａ、３２０ｂの相互間に設けられた吸水紙３３０ｂと、吸収体３２０ａ、３２０ｂ及び吸水紙３３０ａ、３３０ｂを収容する吸水紙３３０ｃと（なお、吸収体３２０ａ、３２０ｂ、及び吸水紙３３０ａ、３３０ｂ、３３０ｃは、上述した吸収コアに相当する）、を備えて構成されている。
【０００４】
ここで、この吸収性物品３０１の図示しないおむつへの装着については、例えば、吸収性物品３０１の不織布シート３１０ｂと図示しないおむつの表面材とが当接するように設け、図示しないおむつと併用するタイプの吸収性物品である。
【０００５】
また、この吸収性物品３０１の機能については、具体的には、排泄物中の固形分は、不織布シート３１０ａと吸水紙３３０ａとの相互間で保持されると共に、排泄物中の水分は吸水紙３３０ａによって透過される。これにより、排泄物中の水分のみを吸収体３２０ａ、３２０ｂに吸収させることができる。また、吸収体３２０ａ、３２０ｂが排泄物中の水分を吸収することによって飽和状態になった場合には、排泄物中の水分は吸水紙３３０ｂ、３３０ｃによって透過される。これにより、吸収性物品３１０によって吸収されなかった排泄物中の水分を図示しないおむつに吸収させることができる。
【先行技術文献】
【特許文献】
【０００６】
【特許文献１】特開２００７−９７６４３号公報
【発明の概要】
【発明が解決しようとする課題】
【０００７】
しかしながら、上述した従来の吸収性物品３０１は、装着感に関して改善の余地があった。例えば、排泄物中の固形分が当該吸水紙３３０ａに付着した場合に、当該吸水紙３３０ａに目詰まりが生じやすかった。これにより、吸水紙３３０ａの濾過性能が低下するため、排泄物中の水分が不織布シート３１０ａと吸水紙３３０ａとの相互間に留められることから、ウェットバックやスキントラブルの発生によって当該吸収性物品３０１の装着感を低下させるおそれがあった。また、特に軟便や水様便では固形物を含むため、目詰まりによる濾過機能低下により、尿や便が漏れるケースもあり、これによるおむつや寝具の交換作業に手間がかかることが多くあった。
【０００８】
本発明は、上記に鑑みてなされたものであって、排泄物の濾過性能を維持することにより、装着感を維持することができる、吸収性物品、及びおむつを提供することを目的とする。
【課題を解決するための手段】
【０００９】
上述した課題を解決し、目的を達成するために、請求項１に記載の吸収性物品は、相互に間隔を隔てて並設された複数の不織布シートと、前記複数の不織布シートの相互間に設けられた吸収体と、を備え、前記吸収体を前記複数の不織布シートのうち当該吸収体の最も近傍に設けられた不織布シートと直接的に重ね合わせている。
【００１０】
また、請求項２に記載の吸収性物品は、請求項１に記載の吸収性物品において、前記複数の不織布シートのうち、前記並設方向における最外側の少なくとも一方に設けられる不織布シートは、第１の不織布シートと、第２の不織布シートと、を備え、前記第２の不織布シートを前記吸収体と直接的に重ね合わせ、前記第１の不織布シートを前記第２の不織布シートよりも前記吸収体側とは反対側に位置するように配置すると共に、前記第１の不織布シートを前記第２の不織布シートと直接的に重ね合わせている。
【００１１】
また、請求項３に記載の吸収性物品は、請求項２に記載の吸収性物品において、前記複数の不織布シートは、前記第１の不織布シートと、前記第２の不織布シートと、前記吸収体よりも前記第２の不織布シート側とは反対側に設けられた第３の不織布シートと、前記第３の不織布シートよりも前記第２の不織布シート側とは反対側に設けられた第４の不織布シートであって、前記第３の不織布シートと直接的に重ね合わせた前記第４の不織布シートと、を備え、前記吸収体は、前記第２の不織布シートと直接的に重ね合わせた第１の吸収体と、前記第３の不織布シートと直接的に重ね合わせた第２の吸収体と、を備えている。
【００１２】
また、請求項４に記載の吸収性物品は、請求項３に記載の吸収性物品において、前記第１の吸収体と前記第２の吸収体との相互間に、第５の不織布シートを設け、前記第５の不織布シートを、前記第１の吸収体と直接的に重ね合わせると共に、前記第２の吸収体と直接的に重ね合わせている。
【００１３】
また、請求項５に記載の吸収性物品は、請求項２から４のいずれか一項に記載の吸収性物品において、前記第２の不織布シートの短手方向の長さが前記第１の不織布シートの短手方向の長さよりも短くなるように、あるいは、前記第２の不織布シートの長手方向の長さが前記第１の不織布シートの長手方向の長さよりも短くなるように、前記第２の不織布シートを形成している。
【００１４】
また、請求項６に記載の吸収性物品は、請求項１から５のいずれか一項に記載の吸収性物品において、前記不織布シートを、坪量が１６〜５０ｇ／ｍ２となるように形成している。
【００１５】
また、請求項７に記載のおむつは、前記請求項１から６のいずれか一項に記載の吸収性物品を備えている。
【発明の効果】
【００１６】
請求項１に記載の吸収性物品、及び請求項７に記載のおむつによれば、吸収体を複数の不織布シートのうち当該吸収体の最も近傍に設けられた不織布シートと直接的に重ね合わせたので、従来の吸収性物品に比べて濾過性能を維持することができる。そのため、ウェットバックやスキントラブルが生じにくくなり、装着感を維持することができ、また、尿や水様便のモレも低減することができる。
【００１７】
また、請求項２に記載の吸収性物品によれば、複数の不織布シートのうち、並設方向における最外側の少なくとも一方に設けられる不織布シートは、第１の不織布シートと、第２の不織布シートと、を備え、第２の不織布シートを吸収体と直接的に重ね合わせ、第１の不織布シートを第２の不織布シートよりも吸収体側とは反対側に位置するように配置すると共に、第１の不織布シートを第２の不織布シートと直接的に重ね合わせたので、第１の不織布シートと第２の不織布シートとの相互間において排泄物中の固形分を保持することができ、濾過性能を向上させることができる。
【００１８】
また、請求項３に記載の吸収性物品によれば、複数の不織布シートは、第１の不織布シートと、第２の不織布シートと、吸収体よりも第２の不織布シート側とは反対側に設けられた第３の不織布シートと、第３の不織布シートよりも第２の不織布シート側とは反対側に設けられた第４の不織布シートであって、第３の不織布シートと直接的に重ね合わせた第４の不織布シートと、を備え、吸収体は、第２の不織布シートと直接的に重ね合わせた第１の吸収体と、第３の不織布シートと直接的に重ね合わせた第２の吸収体と、を備えたので、第１の不織布シートと第２の不織布シートとの相互間において排泄物中の固形分を保持することができると共に、第３の不織布シートと第４の不織布シートとの相互間において排泄物中の固形分を保持することができ、濾過性能を一層向上させることができる。
【００１９】
また、請求項４に記載の吸収性物品によれば、第１の吸収体と第２の吸収体との相互間に、第５の不織布シートを設け、第５の不織布シートを、第１の吸収体と直接的に重ね合わせると共に、第２の吸収体と直接的に重ね合わせたので、第１の吸収体及び第２の吸収体をよれにくくすることができ、第１の吸収体及び第２の吸収体の吸収性能を十分に発揮させることができる。
【００２０】
また、請求項５に記載の吸収性物品によれば、第２の不織布シートの短手方向の長さが第１の不織布シートの短手方向の長さよりも短くなるように、あるいは、第２の不織布シートの長手方向の長さが第１の不織布シートの長手方向の長さよりも短くなるように、第２の不織布シートを形成しているので、吸収体のうち必要とする部分の濾過性能を向上させ、且つ、不織布シートとホットメルトの使用量を減らし、製造コストを低減させることができる。
【００２１】
また、請求項６に記載の吸収性物品によれば、不織布シートを、坪量が１６〜５０ｇ／ｍ２となるように形成することで、より濾過性能が高く、また、吸収性物品の剛性が高くなりすぎず、装着感が低下することがない。
【図面の簡単な説明】
【００２２】
【図１】実施の形態１に係る吸収性物品の構成を示す平面図である。
【図２】図１のＡ−Ａ矢視断面図である。
【図３】おむつに取り付けられた吸収性物品を示す図である。
【図４】実施の形態２に係る吸収性物品の構成を示す平面図である。
【図５】図４のＢ−Ｂ矢視断面図である。
【図６】水様便の漏れ実験に用いられる実験設備の概要図を示す。
【図７】実験に用いられる吸収性物品の特性を示す図である。
【図８】従来の吸収性物品、比較用の吸収性物品、及び本願の吸収性物品の実験結果を示す図である。
【図９】実施の形態３に係る吸収性物品のＢ−Ｂ矢視断面図である。
【図１０】従来の吸収性物品の断面図を示す図である。
【発明を実施するための形態】
【００２３】
以下に添付図面を参照して、この発明に係る吸収性物品、及びおむつの各実施の形態を詳細に説明する。最初に、吸収性物品の全体構成を説明し、次に、吸収性物品の装着方法を説明し、次いで吸収性物品の製造方法について説明し、最後に各実施の形態に対する変形例について説明する。ただし、各実施の形態によって本発明が限定されるものではない。
【００２４】
〔実施の形態１〕
最初に、実施の形態１について説明する。この実施の形態１は、相互に間隔を隔てて並設された２枚の不織布シートの相互間に、１枚の吸収体を設けた形態である。
【００２５】
（構成）
実施の形態１に係る吸収性物品の適用対象は任意である。例えば、吸収性物品の適用対象としては、幼児用の吸収性物品、大人用の吸収性物品等が挙げられるが、装着する対象者を大人として、排泄物を捕捉するために着用される大人用吸収性物品（以下、吸収性物品と称す）に適用した場合を例として説明を行う。
【００２６】
図１は、実施の形態１に係る吸収性物品の構成を示す平面図である。図２は、図１のＡ−Ａ矢視断面図である。なお、以下の説明では、図１のＸ方向を幅方向、Ｙ方向を長さ方向、図１に示す形状を平面形状とする。図１に示すように、吸収性物品１は、表面シート１０と、裏面シート２０と、吸収体３０とを備えて構成されている。なお、表面シート１０の側面のうち、装着者の肌面に対向する側の側面を物品内側の側面と称し、装着者の肌面に対向する側とは反対側の側面を物品外側の側面と称する（後述する裏面シート２０の側面、吸収体３０の側面も同様とする）。
【００２７】
（構成−表面シート）
表面シート１０は、液状の排泄物を透過する不織布シートである。この表面シート１０は、平面形状を長方形状とするシート状体であり、例えば親水性を有する不織布にて形成されている（後述する裏面シート２０も同様とする）。
【００２８】
また、表面シート１０の構成については、装着者が吸収性物品１を装着した際に、表面シート１０が装着者の肌に当接することから、当該表面シート１０は肌触りに優れた構成にすることが好ましく、例えば、表面シート１０は、ポリエチレン、ポリプロピレン、ポリエステル、ナイロン等の単繊維、またはポリエチレン、ポリプロピレン、ポリエステル、ナイロン等の複合繊維等の、より柔軟性の高い不織布にて形成されることが好ましい。
【００２９】
ここで、不織布の種類としては、例えば、スパンボンド不織布、スパンボンド不織布−メルトブローン不織布−スパンボンド不織布、スパンボンド不織布−メルトブローン不織布−メルトブローン不織布−スパンボンド不織布、エアースルー不織布等、あるいは、これらを組み合わせた方法等の適宜の加工法によって加工したものが用いられることが好ましい。特に嵩が高く、濾過性に優れたエアースルー不織布が用いられることが、より効果的である。この「嵩の高い不織布」とは、具体的には、不織布の見かけ密度が０．０２〜０．０８ｇ／ｍ３となるように形成された不織布が該当する。なお、嵩の高い不織布以外の不織布、すなわち、不織布の見かけ密度が０．０８ｇ／ｍ３以上にて形成された不織布においては、例えば、排泄物中の固形分に対する濾過性能が嵩の高い不織布に比べて低くなる。また、不織布の見かけ密度が０．０２ｇ／ｍ３以下にて形成された不織布においては、例えば、当該不織布自体の強度不足によって使用時に破損したり、あるいは、後述する吸収体３０中に含まれる高分子吸収ポリマーが当該不織布の内部を通過して脱落する等のトラブルが発生するおそれがある。
【００３０】
これらのことを踏まえると、具体的には、実施の形態１では、表面シート１０は、ポリエチレンとポリエステルの複合繊維のエアースルー不織布であって、２．２ｄｔｅｘ、２５ｇ／ｍ２のエアースルー不織布にて形成されている。なお、表面シート１０の坪量については、例えば、１６〜５０ｇ／ｍ２となるように、表面シート１０が形成されることが好ましい（後述する裏面シート２０も同様とする）。
【００３１】
（構成−裏面シート）
裏面シート２０は、液状の排泄物を透過する不織布シートである。この裏面シート２０は、平面形状を長方形状とするシート状体であり、平面形状が表面シート１０と略同一の形状であると共に、厚みも表面シート１０と略同一の厚さで形成されている。
【００３２】
また、図２に示すように、裏面シート２０は、表面シート１０の物品外側の側面と対向するように、表面シート１０と間隔を隔てて並設されている（ただし、裏面シート２０のＸ方向の両端部及びＹ方向の両端部は表面シート１０と当接するように設けられている）。そして、これら裏面シート２０のＸ方向の両端部及びＹ方向の両端部は、表面シート１０に対して接着剤又は溶着等によって固定されている。
【００３３】
（構成−吸収体）
吸収体３０は、表面シート１０を透過した液状の排泄物を吸収するものである。この吸収体３０は、平面形状を略方形状とする板状体であり（ここでは、平面形状が表面シート１０よりも小さな形状である吸収体３０について説明する）、液状の排泄物を吸収する材質、例えば、パルプ繊維等の親水性繊維、又は、高分子材料を原料とする親水性化学繊維、又は、前記親水性繊維と粒状の高吸収性ポリマー（ＳＡＰ（Ｓｕｐｅｒ  Ａｂｓｏｒｂｅｎｔ  Ｐｏｌｙｍｅｒ））等の高吸収性材料とを組み合わせたもので形成されている。
【００３４】
また、図２に示すように、この吸収体３０は、表面シート１０と裏面シート２０との相互間に設けられており、表面シート１０又は裏面シート２０に対して接着剤又は溶着等により固定されている。
【００３５】
また、吸収体３０の配置については、表面シート１０又は裏面シート２０の濾過性能を維持することが可能な配置が好ましく、具体的には、実施の形態１では、図２に示すように、吸収体３０は、表面シート１０と直接的に重ね合わせて配置されていると共に、裏面シート２０と直接的に重ね合わせて配置されている。
【００３６】
ここで、「直接的に重ね合わせる」とは、吸収体３０と、当該吸収体３０の最も近傍に設けられた不織布シートとの相互間に他のものを介在させることなく（ただし、吸収体３０と不織布シートを接続するための接着剤は除かれる）、これら吸収体３０と不織布シートとを重ね合わせることを意味する。具体的には、実施の形態１では、図２に示すように、吸収体３０と表面シート１０（又は裏面シート２０）とを直に重ね合わせることや、吸収体３０と表面シート１０（又は裏面シート２０）とを隙間を介して重ね合わせること（ただし、吸収体３０と表面シート１０とが固定されている箇所は除かれる）を含む概念である。
【００３７】
（吸収性物品の装着方法）
次に、上述した吸収性物品１の装着方法について説明する。図３は、おむつ５０に取り付けられた吸収性物品１を示す図である。図３に示すように、この吸収性物品１の装着方法としては、最初に、吸収性物品１をおむつ５０に取り付ける。
【００３８】
ここで、おむつ５０は、当該おむつ５０を装着者に固定するための一対のファスナー部材５２を、おむつ本体５１に対して固定して構成されている。また、おむつ本体５１は、液状の排泄物を透過しない裏面材５３と、液状の排泄物を透過する表面材５４と、裏面材５３と表面材５４との相互間に狭持されたおむつ吸収体５５と、排泄物がおむつ本体５１外に漏洩することを防止する立体ギャザー５６と、ファスナー部材５２をおむつ本体５１に対して着脱自在に固定するためのターゲットゾーン５７とを備えている。また、このおむつ本体５１は、装着者の腹側を覆う前側胴周り部５１ａと、装着者の背側を覆う後側胴周り部５１ｂと、前側胴周り部５１ａと後側胴周り部５１ｂとの相互間に設けられた股下部５１ｃであって、装着者の股下側を覆う股下部５１ｃとに区分されている。
【００３９】
このようなおむつ５０に対する吸収性物品１の取り付けについては、具体的には、実施の形態１では、裏面シート２０が股下部５１ｃにおける装着者の股下側の側面と当接するように、吸収性物品１を、股下部５１ｃにおける装着者の股下側の側面上に設け、おむつ５０と併用して使用している。あるいは、これに限られず、例えば、裏面シート２０がおむつ５０に設けられた図示しない尿パッドの表面シートと当接するように、吸収性物品１を、当該図示しない尿パッドの表面シート上に設け、おむつ５０と併用して使用してもよい。
【００４０】
次に、装着者におむつ本体５１をあてがうために、後側胴周り部５１ｂを装着者の背側を覆うように当接するとともに、前側胴周り部５１ａを装着者の腹側を覆うように当接する。これと併せて、股下部５１ｃに取り付けられた吸収性物品１を、装着者の股下側を覆うように当接する。
【００４１】
続いて、このおむつ５０を装着者の胴周りで固定するために、後側胴周り部５１ｂの両端部に取り付けられた一対のファスナー部材５２を、前側胴周り部５１ａの外側面上に設けられたターゲットゾーン５７に固定する。
【００４２】
このように、吸収性物品１が装着者に装着された場合に、装着者から排泄物が排泄されると、排泄物中の固形分は表面シート１０の物品内側の側面上に留まり、排泄物中の水分は表面シート１０によって透過されて吸収体３０に吸収される。これにより、従来の吸収性物品のように表面シート１０の濾過性能を低下させることなく、排泄物中の水分のみを吸収体３０に吸収させることができる。
【００４３】
また、吸収体３０が排泄物中の水分を吸収することによって飽和状態になった場合には、排泄物中の水分は裏面シート２０によって透過される。これにより、吸収体３０によって吸収されなかった排泄物中の水分を、表面材５４を介しておむつ吸収体５５に吸収させることができる。
【００４４】
なお、表面シート１０と裏面シート２０とは液透過性シートであるため、吸収性物品１を上述した図示しない尿パッドの表面シート上に重ねて使用しても上記と同様の効果が得られることから、おむつ５０、上述した図示しない尿パッド、および吸収性物品１を併用してもよい。
【００４５】
（吸収性物品の製造方法）
次に、上述した吸収性物品１の製造方法について説明する。この吸収性物品１の製造方法については、裏面シート２０、吸収体３０、表面シート１０の順に、これら部材を重ね合わせていく。また、これと併せて、裏面シート２０と吸収体３０、吸収体３０と表面シート１０、そして裏面シート２０と表面シート１０を、接着剤又は溶着等によって順次接続していく。これにて、図１、図２に示す吸収性物品１が製造される。
【００４６】
（効果）
このように実施の形態１によれば、吸収体３０を吸収体３０の最も近傍に設けられた表面シート１０及び裏面シート２０と直接的に重ね合わせたので、従来の吸収性物品に比べて濾過性能を維持することができる。そのため、ウェットバックやスキントラブルが生じにくくなるので、装着感を維持することができ、また、軟便や水様便中の固形物と水分の分離ができることにより、漏れを防止することができる。
【００４７】
また、表面シート１０及び裏面シート２０を、坪量が１６〜５０ｇ／ｍ２となるように形成したので、より濾過性能が高くなり、また、吸収性物品の剛性が高くなりすぎず、装着感が低下することがない。
【００４８】
〔実施の形態２〕
次に、実施の形態２について説明する。この実施の形態２は、相互に間隔を隔てて並設された４枚の不織布シートのうち、２枚目と３枚目の不織布シートの相互間に、２枚の吸収体を設けた形態である。なお、実施の形態１と略同様の構成要素、装着方法、及び製造方法については、必要に応じて、実施の形態１で用いたのと同一の符号又は名称を付してその説明を省略する。
【００４９】
（構成）
図４は、実施の形態２に係る吸収性物品の構成を示す平面図である。図５は、図４のＢ−Ｂ矢視断面図である。図４に示すように、吸収性物品１０１は、表面シート１０と、裏面シート２０と、吸収体３０とを備えて構成されている。また、図５に示すように、吸収体３０は、表面シート１０と裏面シート２０との相互間に設けられている。
【００５０】
（構成−表面シート）
表面シート１０は、第１の表面シート１０ａと、第２の表面シート１０ｂとを備えている。
【００５１】
第１の表面シート１０ａは、おむつ５０が装着者に装着された場合に、装着者の股下側と当接する第１の不織布シートであり、平面形状を長方形状とするシート状体にて形成されている。
【００５２】
ここで、第１の表面シート１０ａの具体的な構成については任意であるが、装着者が吸収性物品１０１を装着した際に、第１の表面シート１０ａが装着者の肌に当接することから、当該第１の表面シート１０ａは肌触りに優れた構成にすることが好ましく、具体的には、実施の形態２では、第１の表面シート１０ａは、ポリエチレンとポリエステルの複合繊維のエアースルー不織布であって、２．２ｄｔｅｘ、２５ｇ／ｍ２のエアースルー不織布にて形成されている（後述する第２の裏面シート２０ｂも同様とする）。
【００５３】
第２の表面シート１０ｂは、第１の表面シート１０ａによって透過された排泄物中の水分をさらに濾過し、拡散させるための第２の不織布シートであり、平面形状を長方形状とするシート状体にて形成されている。また、図５に示すように、第２の表面シート１０ｂは、第１の表面シート１０ａよりも吸収体３０側に位置するように設けられている。
【００５４】
ここで、第２の表面シート１０ｂの配置については、表面シート１０の濾過性能を向上させることが可能な配置が好ましく、具体的には、実施の形態２では、図５に示すように、第２の表面シート１０ｂは、第１の表面シート１０ａと直接的に重ね合わせて配置されている。これにより、第１の表面シート１０ａと第２の表面シート１０ｂと段階的に濾過することができると共に、第１の表面シート１０ａと第２の表面シート１０ｂとの相互間において排泄物中の固形分を保持することができる。なお、この場合において、第２の表面シート１０ｂは、第１の表面シート１０ａに対して接着剤又は溶着等によって固定されている。
【００５５】
また、第２の表面シート１０ｂの具体的な構成については任意であるが、第１の表面シート１０ａによって透過された排泄物を第２の表面シート１０ｂの物品内側の側面上に保持しやすい構成であることが好ましく、具体的には、実施の形態２では、第２の表面シート１０ｂは、第１の表面シート１０ａよりも排泄物中に含まれる固形物を保持できるように、ポリエチレンとポリエステルの複合繊維のエアースルー不織布であって、５．６ｄｔｅｘ、３５ｇ／ｍ２のエアースルー不織布にて形成されている（このような第２の表面シート１０ｂと第１の表面シート１０ａとの坪量の関係と同様に、後述する第１の裏面シート２０ａの坪量が後述する第２の裏面シート２０ｂの坪量よりも大きくなるように、後述する第１の裏面シート２０ａが形成されてもよい）。
【００５６】
また、第２の表面シート１０ｂの形状については、具体的には、実施の形態２では、図４、図５に示すように、第２の表面シート１０ｂのＸ方向の長さが第１の表面シート１０ａのＸ方向の長さよりも短くなるように、且つ、第２の表面シート１０ｂのＹ方向の長さが第１の表面シート１０ａのＹ方向の長さよりも短くなるように、第２の表面シート１０ｂが形成されている（例えば、第２の表面シート１０ｂの板面積が、第１の表面シート１０ａの面積の１０〜８０％程度になるように、第２の表面シート１０ｂが形成されることが好ましい。なお、このような第２の表面シート１０ｂと第１の表面シート１０ａとの形状の関係と同様に、後述する第１の裏面シート２０ａのＸ方向の長さが後述する第２の裏面シート２０ｂのＸ方向の長さよりも短くなるように、且つ、後述する第１の裏面シート２０ａのＹ方向の長さが後述する第２の裏面シート２０ｂのＹ方向の長さよりも短くなるように、後述する第１の裏面シート２０ａが形成されてもよい）。あるいは、これに限られず、第２の表面シート１０ｂの短手方向の長さのみが第１の表面シート１０ａの短手方向の長さよりも短くなるように、又は、第２の表面シート１０ｂの長手方向の長さのみが第１の表面シート１０ａの長手方向の長さよりも短くなるように、第２の表面シート１０ｂが形成されてもよい。
【００５７】
（構成−裏面シート）
裏面シート２０は、第１の裏面シート２０ａと、第２の裏面シート２０ｂとを備えている。
【００５８】
第１の裏面シート２０ａは、第２の表面シート１０ｂによって透過された排泄物中の水分を拡散させるための第３の不織布シートであり、平面形状を長方形状とするシート状体にて形成されている。また、図５に示すように、第１の裏面シート２０ａは、吸収体３０よりも第２の表面シート１０ｂ側とは反対側に配置されている。
【００５９】
第２の裏面シート２０ｂは、吸収性物品１０１がおむつ５０に取り付けられた際に、おむつ５０の表面材５４と当接する第４の不織布シートであり、平面形状を長方形状とするシート状体にて形成されている。また、図５に示すように、第２の裏面シート２０ｂは、第１の裏面シート２０ａよりも第２の表面シート１０ｂ側とは反対側に設けられていると共に、第２の裏面シート２０ｂのＸ方向の両端部及びＹ方向の両端部が第１の表面シート１０ａと当接するように設けられている。そして、第１の裏面シート２０ａのＸ方向の両端部及びＹ方向の両端部は、第２の吸収体３０ｂに対して接着剤又は溶着等によって固定されている。
【００６０】
ここで、第２の裏面シート２０ｂの配置については、裏面シート２０の濾過性能を向上させることが可能な配置が好ましく、具体的には、実施の形態２では、図５に示すように、第２の裏面シート２０ｂは、第１の裏面シート２０ａと直接的に重ね合わせて配置されている。これにより、第１の裏面シート２０ａと第２の裏面シート２０ｂとに段階的に濾過することができると共に、第１の裏面シート２０ａと第２の裏面シート２０ｂとの相互間において排泄物中の固形分を保持することができる。なお、この場合において、第２の裏面シート２０ｂにおける第１の裏面シート２０ａの重合部分は、第１の裏面シート２０ａに対して接着剤又は溶着等によって固定されている。
【００６１】
（構成−吸収体）
吸収体は、第１の吸収体３０ａと、第２の吸収体３０ｂとを備えている。これら第１の吸収体３０ａ及び第２の吸収体３０ｂは、平面形状を略方形状とする板状体であり、同一の形状及び厚さにて形成されている（ここでは、平面形状が第２の表面シート１０ｂよりもやや大きめの形状である吸収体３０について説明する）。また、図５に示すように、第１の吸収体３０ａと第２の吸収体３０ｂとは、第２の表面シート１０ｂと第１の裏面シート２０ａとの相互間に設けられている。
【００６２】
ここで、第１の吸収体３０ａの配置については、第１の吸収体３０ａがよれにくくなる配置が好ましく、具体的には、実施の形態２では、図５に示すように、第１の吸収体３０ａは、第２の表面シート１０ｂの物品外側の側面と対向するように配置されると共に、第２の表面シート１０ｂと直接的に重ね合わせて配置されている。この場合において、第１の吸収体３０ａは、第２の表面シート１０ｂに対して接着剤又は溶着等によって固定されている。
【００６３】
また、第２の吸収体３０ｂの配置については、第２の吸収体３０ｂがよれにくくなる配置が好ましく、具体的には、実施の形態２では、図５に示すように、第２の吸収体３０ｂは、第１の吸収体３０ａと第１の裏面シート２０ａとの相互間に配置されると共に、第１の裏面シート２０ａと直接的に重ね合わせて配置されている。この場合において、第２の吸収体３０ｂは、第１の裏面シート２０ａに対して接着剤又は溶着等によって固定されている。
【００６４】
（吸収性物品の装着方法）
次に、上述した吸収性物品１０１の装着方法について説明する。ただし、実施の形態２における吸収性物品１０１をおむつ５０に取り付ける作業以降の作業は、実施の形態１の装着方法と同様であるため、説明を省略する。
【００６５】
この吸収性物品１０１の装着方法としては、最初に、吸収性物品１０１をおむつ５０に取り付ける。具体的には、実施の形態２では、第２の裏面シート２０ｂが股下部５１ｃにおける装着者の股下側の側面と当接するように、吸収性物品１０１を、股下部５１ｃにおける装着者の股下側の側面上に設け、おむつ５０と併用して使用する。
【００６６】
このように、吸収性物品１０１が装着者に装着された場合に、装着者から排泄物が排泄されると、排泄物中の固形分は第１の表面シート１０ａの物品内側の側面上、又は第２の表面シート１０ｂの物品内側の側面上に留まり、排泄物中の水分は第１の表面シート１０ａ及び第２の表面シート１０ｂによって透過されて第１の吸収体３０ａ及び第２の吸収体３０ｂに吸収される。
【００６７】
また、第１の吸収体３０ａ及び第２の吸収体３０ｂが排泄物中の水分を吸収することによって飽和状態になった場合には、排泄物中の水分は第１の裏面シート２０ａ及び第２の裏面シート２０ｂによって透過される。
【００６８】
（吸収性物品の製造方法）
次に、上述した吸収性物品１０１の製造方法について説明する。この吸収性物品１０１の製造方法については、第２の裏面シート２０ｂ、第２の吸収体３０ｂ、第１の吸収体３０ａ、第２の表面シート１０ｂ、第１の裏面シート２０ａ、第１の表面シート１０ａの順に、これら部材を重ね合わせていく。また、これと併せて、第２の裏面シート２０ｂと第２の吸収体３０ｂ、第２の吸収体３０ｂと第１の吸収体３０ａ、第１の吸収体３０ａと第２の表面シート１０ｂ、第１の裏面シート２０ａと第２の吸収体３０ｂ、そして第２の表面シート１０ｂと第１の表面シート１０ａを、接着剤又は溶着等によって順次接続していく。これにて、図４、図５に示す吸収性物品１０１が製造される。
【００６９】
（実験結果）
次に、上述した吸収性物品１０１に関する水様便の漏れ実験の実験結果について説明する。この水様便の漏れ実験とは、吸収性物品１０１を上述した図示しない尿パッドの上に取り付け、この図示しない尿パッドをテープ式のおむつ５０に取り付け、これに人工水様便を吸収させ、このおむつ５０から人工水様便が漏れるまでの吸収量を検証するものである。また、この人工水様便とは、人工的に作られたゲル状又は液状の人工便のことであり、例えば、５Ｌの人工尿（具体的には、塩分濃度０．９％の食塩水）と、１３ｇの米みそと、１５ｇのトロミ粉とが配合されている。
【００７０】
まず、この実験の概要について説明する。図６は、水様便の漏れ実験に用いられる実験設備の概要図を示す。図６に示すように、この実験設備６０は、人工水様便タンク６１と、ポンプ６２と、マネキン６３とを備えて構成されている。
人工水様便タンク６１は、人工水様便を貯蔵する貯蔵手段であり、公知の給水タンクにて構成されている。
ポンプ６２は、人工水様便タンク６１から配管６５ａを介して人工水様便を外部に送り出す送出手段であり、例えば公知のロータリーポンプにて構成されている。
マネキン６３は、おむつ５０を装着するための装着体である。具体的には、図６に示すように、マネキン６３は人の股下部分の形状にて形成されており、ポンプ６２から送り出された人工水様便をおむつ５０に供給するために、配管６５ｂを介してポンプ６２と接続されている。なお、この配管６５ｂの配置については、例えば、配管６５ｂにおける長手方向の端部のうちマネキン６３側の端部がマネキン６３の肛門部分に位置するように、配管６５ｂが配置されている。
【００７１】
また、図７は、実験に用いられる吸収性物品１０１の特性を示す図である。図７に示すように、この実験の実験対象としては、従来の吸収性物品３０１と、吸水紙が用いられていない吸収性物品（以下、比較用の吸収性物品と称す）と、実施の形態２の吸収性物品（以下、本願の吸収性物品１０１と称す）との３種類としている。
【００７２】
ここで、従来の吸収性物品３０１の構成については、図７に示すように、不織布シート（坪量１５ｇ／ｍ２）にて形成された第１の表面シート１０ａと、吸水紙（坪量１３ｇ／ｍ２）にて形成された第２の表面シート１０ｂと、パルプ繊維をシート状にしたもの（以下、パルプシートと称する）にて形成された第１の吸収体３０ａと、吸水紙（坪量１３ｇ／ｍ２）にて形成された後述する中間シート４０と、パルプシートにて形成された第２の吸収体３０ｂと、吸水紙（坪量１３ｇ／ｍ２）にて形成された第１の裏面シート２０ａと、不織布シート（坪量１５ｇ／ｍ２）にて形成された第２の裏面シート２０ｂと、を備えて構成されている。
【００７３】
また、比較用の吸収性物品の構成については、図７に示すように、不織布シート（坪量１５ｇ／ｍ２）にて形成された第１の表面シート１０ａと、不織布シート（坪量１５ｇ／ｍ２）にて形成された第２の表面シート１０ｂと、パルプシートにて形成された第１の吸収体３０ａと、パルプシートにて形成された第２の吸収体３０ｂと、不織布シート（坪量１５ｇ／ｍ２）にて形成された第１の裏面シート２０ａと、不織布シート（坪量１５ｇ／ｍ２）にて形成された第２の裏面シート２０ｂと、を備えて構成されている。
【００７４】
また、本願の吸収性物品１０１の構成については、図７に示すように、不織布シート（坪量２５ｇ／ｍ２）にて形成された第１の表面シート１０ａと、不織布シート（坪量３５ｇ／ｍ２）にて形成された第２の表面シート１０ｂと、パルプシートにて形成された第１の吸収体３０ａと、パルプシートにて形成された第２の吸収体３０ｂと、不織布シート（坪量３５ｇ／ｍ２）にて形成された第１の裏面シート２０ａと、不織布シート（坪量２５ｇ／ｍ２）にて形成された第２の裏面シート２０ｂと、を備えて構成されている。
【００７５】
次に、この実験の実験方法について説明する。まず、マネキン６３に、上述した３つの吸収性物品のいずれか１つと図示しない尿パッドが取り付けられたおむつ５０を装着する。具体的には、吸収性物品が取り付けられた図示しない尿パッドをおむつ５０の立体ギャザー５６の内側に設け、マネキン６３と吸収性物品とを当接する。そして、おむつ５０のファスナー部材５２をおむつ本体５１に対して止着することにより、マネキン６３とおむつ５０とを固定する。
【００７６】
次に、ポンプ６２の電源をＯＮ状態にし、ポンプ６２によって、人工水様便タンク６１から配管６５ａ、６５ｂを介して人工水様便をマネキン６３へ送り出す。具体的には、おむつ５０から人工水様便が漏れるまで、ポンプ６２による人工水様便の送り出しを行う（例えば、ポンプ６２の単位時間当たりの送出量を１０ｃｃ／秒として送り出す）。
続いて、おむつ５０から人工水様便の漏れが確認された場合に、ポンプ６２の動作を停止する。そして、マネキン６３からおむつ５０を脱着して、おむつ５０や図示しない尿パッド、吸収性物品の人工水様便の吸収量を測定する。これにて、この実験を終了する。
【００７７】
次に、この実験の実験結果について説明する。図８は、従来の吸収性物品３０１、比較用の吸収性物品、及び本願の吸収性物品１０１の実験結果を示す図である。図８に示すように、この実験の結果のうち、おむつ５０及び図示しない尿パッドと吸収性物品の人工水様便の吸収量を合計した吸収量（以下、全吸収量と称する。なお、全吸収量は、おむつ５０から人工水様便が漏れるまでの時間（以下、モレ秒数と称する）×ポンプ６２の単位時間当たりの送出量で算出される。）については、従来の吸収性物品３０１ものは１３００ｃｃであったのに対して、比較用の吸収性物品のものは１６８０ｃｃであり、本願の吸収性物品１０１のものは１９５０ｃｃであった。このことから、比較用の吸収性物品が取り付けられたおむつ５０は、従来の吸収性物品３０１のものに比べて約１．２９倍の人工水様便を吸収する吸収性能を有すると共に、ウェットバックを発生しにくくすることがわかった。さらに、本願の吸収性物品１０１が取り付けられたおむつ５０は、比較用の吸収性物品のものに比べて約１．１６倍の吸収性能を有すると共に、ウェットバックを一層発生しにくくすることがわかった。
【００７８】
また、図８に示すように、吸収性物品と図示しない尿パッドとの合計の吸収量については、従来の吸収性物品３０１のものは４５５ｇであったのに対して、比較用の吸収性物品のものは９８５ｇであり、本願の吸収性物品のものは１２８２ｇであった。このことから、比較用の吸収性物品と図示しない尿パッドとの合計の吸収量は、従来の吸収性物品３０１のものに比べて約２．１６倍の吸収性能を有することがわかった。さらに、本願の吸収性物品１０１と図示しない尿パッドとの合計の吸収量は、比較用の吸収性物品のものに比べて約１．３０倍の吸収性能を有することがわかった。
【００７９】
また、図８に示すように、おむつ５０の吸収量のうち、人工水様便が吸収されていないおむつ５０の腰周り部分の保持液（おむつ５０のファスナー部材５２を解放した際に溢れ出た人工水様便）の保持量については、従来の吸収性物品３０１のものは３８３ｇであったのに対して、比較用の吸収性物品のものは２２５ｇであり、本願の吸収性物品１０１のものは１８１ｇであった。また、おむつ５０の吸収量については、従来の吸収性物品３０１のものは４６０ｇであったのに対して、比較用の吸収性物品のものは４７０ｇであり、本願の吸収性物品１０１のものは４７７ｇであった。これらのことから、吸収性物品と図示しない尿パッドとの合計の吸収量と、おむつ５０の吸収量との比率（＝吸収性物品と図示しない尿パッドとの合計の吸収量／（腰周り部分の吸収量＋おむつ５０の吸収量））については、従来の吸収性物品３０１のものは０．５３９（＝４５５ｇ／（３８３ｇ＋４６０ｇ））であったのに対して、比較用の吸収性物品のものは１．４１（＝９８５ｇ／（２２５ｇ＋４７０ｇ））であり、本願の吸収性物品１０１のものは１．９４（＝１２８２ｇ／（１８１ｇ＋４７７ｇ））であったことがわかった。
【００８０】
以上のことから、比較用の吸収性物品は従来の吸収性物品３０１よりも濾過性能を維持することができるので（特に、第２の表面シート１０ｂについては、比較用の吸収性物品の不織布シートは、従来の吸収性物品３０１の吸水紙よりも人工水様便中の固形分の目詰まりが生じにくいため、濾過性能を維持できる）、人工水様便中の固形分と水分とを効果的に分離して、当該人工水様便中の水分を吸収性物品の第１の吸収体３０ａ及び第２の吸収体３０ｂに吸収させることができたものと考えられる。さらに、本願の吸収性物品１０１は、比較用の吸収性物品に比べて高い濾過性能を有しているので、吸収性能を一層向上させることができ、装着感を維持することができると共に、尿や水様便のモレも低減することができるものと考えられる。
【００８１】
（効果）
このように実施の形態２によれば、表面シート１０と裏面シート２０のうち、少なくとも表面シート１０が、第１の表面シート１０ａと、第２の表面シート１０ｂと、を備え、第２の表面シート１０ｂを第１の吸収体３０ａと直接的に重ね合わせ、第１の表面シート１０ａを第２の表面シート１０ｂよりも吸収体３０側とは反対側に位置するように配置すると共に、第１の表面シート１０ａを第２の表面シート１０ｂと直接的に重ね合わせたので、第１の表面シート１０ａと第２の表面シート１０ｂとの相互間において排泄物中の固形分を保持することができ、濾過性能を向上させることができる。
【００８２】
また、表面シート１０は、第１の表面シート１０ａと、第２の表面シート１０ｂとを備え、裏面シート２０は、吸収体３０よりも第２の表面シート１０ｂ側とは反対側に設けられた第１の裏面シート２０ａと、第１の裏面シート２０ａよりも第２の表面シート１０ｂ側とは反対側に設けられた第２の裏面シート２０ｂであって、第１の裏面シート２０ａと直接的に重ね合わせた第２の裏面シート２０ｂと、を備え、吸収体３０は、第２の表面シート１０ｂと直接的に重ね合わせた第１の吸収体３０ａと、第１の裏面シート２０ａと直接的に重ね合わせた第２の吸収体３０ｂと、を備えたので、第１の表面シート１０ａと第２の表面シート１０ｂとの相互間において排泄物中の固形分を保持することができると共に、第１の裏面シート２０ａと第２の裏面シート２０ｂとの相互間において排泄物中の固形分を保持することができ、濾過性能を一層向上させることができる。
【００８３】
〔実施の形態３〕
次に、実施の形態３について説明する。この形態は、２枚の吸収体との相互間に不織布シートを設けた形態である。なお、実施の形態３と略同様の構成要素については、必要に応じて、実施の形態２で用いたのと同一の符号又は名称を付してその説明を省略する。
【００８４】
（構成）
図９は、実施の形態３に係る吸収性物品のＢ−Ｂ矢視断面図である。図９に示すように、実施の形態３に係る吸収性物品２０１は、実施の形態２の吸収性物品１０１の構成要素に対して、さらに中間シート４０を加えて構成されている。
【００８５】
（構成−中間シート）
中間シート４０は、第１の吸収体３０ａ及び第２の吸収体３０ｂのよれを抑制するための第５の不織布シートであり、平面形状を長方形状とするシート状体にて形成されている（ここでは、平面形状が第２の表面シート１０ｂと同一の形状及び厚さである中間シート４０について説明する）。また、図９に示すように、中間シート４０は、第１の吸収体３０ａと第２の吸収体３０ｂとの相互間に設けられている。
【００８６】
ここで、中間シート４０の配置については、第１の吸収体３０ａと第２の吸収体３０ｂとがよれにくくなる配置が好ましく、具体的には、実施の形態２では、図９に示すように、中間シート４０は、第１の吸収体３０ａと直接的に重ね合わせると共に、第２の吸収体３０ｂと直接的に重ね合わせて配置されている。この場合において、中間シート４０は、第１の吸収体３０ａ及び第２の吸収体３０ｂに対して接着剤又は溶着等によって固定されている。
【００８７】
（吸収性物品の製造方法）
次に、上述した吸収性物品２０１の製造方法について説明する。この吸収性物品２０１の製造方法については、第１の裏面シート２０ａ、第２の吸収体３０ｂ、中間シート４０、第１の吸収体３０ａ、第２の表面シート１０ｂ、第２の裏面シート２０ｂ、第１の表面シート１０ａの順に、これら部材を重ね合わせていく。また、これと併せて、第１の裏面シート２０ａと第２の吸収体３０ｂ、第２の吸収体３０ｂと中間シート４０、中間シート４０と第１の吸収体３０ａ、第１の吸収体３０ａと第２の表面シート１０ｂ、第２の裏面シート２０ｂと第２の吸収体３０ｂ、そして第２の表面シート１０ｂと第１の表面シート１０ａを、接着剤又は溶着等によって順次接続していく。これにて、図９に示す吸収性物品２０１が製造される。
【００８８】
（効果）
このように実施の形態３によれば、第１の吸収体３０ａと第２の吸収体３０ｂとの相互間に、中間シート４０を設け、中間シート４０を、第１の吸収体３０ａと直接的に重ね合わせると共に、第２の吸収体３０ｂと直接的に重ね合わせたので、第１の吸収体３０ａ及び第２の吸収体３０ｂをよれにくくすることができ、第１の吸収体３０ａ及び第２の吸収体３０ｂの吸収性能を十分に発揮させることができる。
【００８９】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００９０】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００９１】
（表面シート、及び裏面シートの層数について）
実施の形態２、３では、表面シート１０は第１の表面シート１０ａと第２の表面シート１０ｂとの２層構造であり、裏面シート２０は第１の裏面シート２０ａと第２の裏面シート２０ｂとの２層構造であると説明したが、これに限られない。例えば、排泄物中の固形分のほとんどが表面シート１０に留まることから、表面シート１０は第１の表面シート１０ａと第２の表面シート１０ｂとの２層構造であり、裏面シート２０は１層構造であってもよい。
【００９２】
（表面シート、及び裏面シートの坪量について）
実施の形態２、３では、第１の表面シート１０ａと第２の表面シート１０ｂの坪量が異なるように、第１の表面シート１０ａと第２の表面シート１０ｂとが形成されてもよい（具体的には、第１の表面シート１０ａの坪量を２５ｇ／ｍ２とし、第２の表面シート１０ｂの坪量を３５ｇ／ｍ２とする）と説明したが、これに限られない。例えば、表面シート１０の製造コストを低減するために、第１の表面シート１０ａと第２の表面シート１０ｂの坪量が同一となるように、第１の表面シート１０ａと第２の表面シート１０ｂとが形成されてもよい（具体的には、第１の表面シート１０ａと第２の表面シート１０ｂの坪量を２５ｇ／ｍ２とする。なお、第１の裏面シート２０ａと第２の裏面シート２０ｂの坪量についても同様にしてもよい）。
【００９３】
（表面シート、及び裏面シートの形状について）
実施の形態２では、第２の表面シート１０ｂのＸ方向の長さが第１の表面シート１０ａのＸ方向の長さよりも短くなるように、且つ、第２の表面シート１０ｂのＹ方向の長さが第１の表面シート１０ａのＹ方向の長さよりも短くなるように、第２の表面シート１０ｂが形成されていると説明したが、これに限られない。例えば、第１の表面シート１０ａ及び第２の表面シート１０ｂの加工の手間を省くため、第１の表面シート１０ａと第２の表面シート１０ｂとを同一形状にて形成されてもよい（なお、第１の裏面シート２０ａと第２の裏面シート２０ｂの形状についても同様にしてもよい）。
【００９４】
（吸収体の層数について）
実施の形態１では、吸収体３０は、１層構造の表面シート１０及び１層構造の裏面シート２０に対して１層構造であると説明したが、これに限られない。例えば、吸収体３０は、１層構造の表面シート１０及び１層構造の裏面シート２０に対して、第１の吸収体３０ａと第２の吸収体３０ｂを備える２層構造であってもよい。この場合において、第１の吸収体３０ａと第２の吸収体３０ｂとのよれを抑制するために、第１の吸収体３０ａと第２の吸収体３０ｂとの相互間に、中間シート４０が設けてられてもよい。
【００９５】
（第１の吸収体、及び第２の吸収体の形状について）
実施の形態２、３では、第１の吸収体３０ａ及び第２の吸収体３０ｂは、平面形状を略方形状とする板状体であり、同一の形状にて形成されていると説明したが、これに限られない。例えば、第２の表面シート１０ｂによって拡散された排泄物中の水分を効果的に吸収できるように、例えば、第２の吸収体３０ｂの形状が第１の吸収体３０ａよりも大きくなるように、第２の吸収体３０ｂが形成されてもよい。
【００９６】
（その他の吸収性物品の構造、装着方法、及び製造方法について）
その他、吸収性物品の構造、装着方法、及び製造方法については、上記説明した技術的思想に逸脱しない範囲で、任意に変更することが可能である。
【符号の説明】
【００９７】
１、１０１、２０１、３０１  吸収性物品
１０  表面シート
１０ａ  第１の表面シート
１０ｂ  第２の表面シート
２０  裏面シート
２０ａ  第１の裏面シート
２０ｂ  第２の裏面シート
３０、３２０ａ、３２０ｂ  吸収体
３０ａ  第１の吸収体
３０ｂ  第２の吸収体
４０  中間シート
５０  おむつ
５１  おむつ本体
５１ａ  前側胴周り部
５１ｂ  後側胴周り部
５１ｃ  股下部
５２  ファスナー部材
５３  裏面材
５４  表面材
５５  おむつ吸収体
５６  立体ギャザー
５７  ターゲットゾーン
６０  実験設備
６１  人工水様便タンク
６２  ポンプ
６３  マネキン
６５ａ、６５ｂ  配管
３１０ａ、３１０ｂ  不織布シート
３３０ａ、３３０ｂ、３３０ｃ  吸水紙
【図１】
2013188445.tif 000003
【図２】
2013188445.tif 000004
【図３】
2013188445.tif 000005
【図４】
2013188445.tif 000006
【図５】
2013188445.tif 000007
【図６】
2013188445.tif 000008
【図７】
2013188445.tif 000009
【図８】
2013188445.tif 000010
【図９】
2013188445.tif 000011
【図１０】
2013188445.tif 000012